(57)【要約】【課題】非使用時に摩擦体が汚れることを防止できる熱変色性筆記具を提供する。【解決手段】熱変色性インキを収容した筆記体６を軸筒２の内部に前後方向に移動可能に収容する。軸筒２の後端にノック体９を設け、ノック体９を前方に押圧操作することにより軸筒２前端よりペン先６１が突出及び没入する出没機構を備える。軸筒２の外面に、熱変色性インキの筆跡を摩擦しその際に生じる摩擦熱で該筆跡を熱変色可能な低摩耗性の弾性材料からなる摩擦体５を設ける。軸筒２の後端のノック体９近傍に前記摩擦体５を設け、ペン先没入状態において、ノック体９後端が摩擦体５後端より後方に、ペン先突出状態よりも大きく突出される。【選択図】  図１
2014193571.tif 000002
【特許請求の範囲】
【請求項１】
軸筒の内部に筆記体を前後方向に移動可能に収容し、前記筆記体の内部に熱変色性インキを収容し、前記筆記体の前端に前記熱変色性インキが吐出可能なペン先を設け、前記軸筒の後端にノック体を設け、ペン先没入状態から前記ノック体を前方に押圧操作することによりペン先突出状態にさせ且つ該ペン先突出状態から前記ノック体を前方に再度押圧操作することによりペン先没入状態にさせる出没機構を備え、前記軸筒の外面に、前記熱変色性インキの筆跡を摩擦しその際に生じる摩擦熱で該筆跡を熱変色可能な低摩耗性の弾性材料からなる摩擦体を設けた熱変色性筆記具であって、
前記軸筒の後端のノック体近傍に前記摩擦体を設け、ペン先没入状態において、前記ノック体後端が前記摩擦体後端より後方に、ペン先突出状態よりも大きく突出されることを特徴とする熱変色性筆記具。
【請求項２】
前記摩擦体が軸筒後端の外周縁部に設けられる請求項１記載の熱変色性筆記具。
【請求項３】
前記摩擦体が軸筒後端の外周縁部に環状に設けられる請求項２記載の熱変色性筆記具。
【請求項４】
前記ペン先突出状態において、前記摩擦体と前記ノック体とに接する接線と、軸線とのなす角度を４５度以上に設定した請求項１乃至３の何れかに記載の熱変色性筆記具。
【請求項５】
前記摩擦体より前方の軸筒の外面に、摩擦体よりも径方向外方に突出する凸部を設けた請求項１乃至４の何れかに記載の熱変色性筆記具。
【発明の詳細な説明】
【技術分野】
【０００１】
本発明は、熱変色性インキを収容した筆記体を軸筒の内部に前後方向に移動可能に収容し、軸筒後端のノック体を前方へ押圧操作することにより筆記体のペン先を軸筒の前端孔から出没可能に構成し、軸筒の外面に、前記熱変色性インキの筆跡を摩擦しその際に生じる摩擦熱で該筆跡を熱変色可能な摩擦体を設けた熱変色性筆記具に関する。
【背景技術】
【０００２】
従来、特許文献１には、軸筒内に筆記体を前後方向に移動可能に収容し、前記軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦体を設けた熱変色性筆記具が開示されている。
【先行技術文献】
【特許文献】
【０００３】
【特許文献１】国際公開第２００８／１０５２２７号パンフレット
【発明の概要】
【発明が解決しようとする課題】
【０００４】
前記特許文献１の熱変色性筆記具は、非使用時、ペンケース、ペン立て、または衣服のポケット等に収納して保管すると、摩擦体が常に外部に露出しているため、摩擦体が、他の物品（例えば、他の筆記具外面、ペンケースの内面、ペン立ての底面、または衣服のポケット内面等）に接触することにより、摩擦体表面に塵や埃が付着し、摩擦体表面が汚れることがあり、その汚れた状態の摩擦体を用いて紙面（被筆記面）を摩擦すると、紙面が汚れてしまう不具合があった。
【０００５】
本発明は前記従来の問題点を解決するものであって、非使用時に摩擦体が汚れることを防止できる熱変色性筆記具を提供しようとするものである。
【０００６】
尚、本発明において、「前」とはペン先側を指し、「後」とはその反対側を指す。本発明において、ペン先突出状態とは、軸筒前端より前方にペン先が突出した状態をいい、ペン先没入状態とは、軸筒前端よりペン先が軸筒内に没入した状態をいう。
【課題を解決するための手段】
【０００７】
本願の第１の発明は、軸筒２の内部に筆記体６を前後方向に移動可能に収容し、前記筆記体６の内部に熱変色性インキを収容し、前記筆記体６の前端に前記熱変色性インキが吐出可能なペン先６１を設け、前記軸筒２の後端にノック体を設け、ペン先没入状態から前記ノック体を前方に押圧操作することによりペン先突出状態にさせ且つ該ペン先突出状態から前記ノック体を前方に再度押圧操作することによりペン先没入状態にさせる出没機構を備え、前記軸筒２の外面に、前記熱変色性インキの筆跡を摩擦しその際に生じる摩擦熱で該筆跡を熱変色可能な低摩耗性の弾性材料からなる摩擦体５を設けた熱変色性筆記具であって、前記軸筒２の後端のノック体近傍に前記摩擦体５を設け、ペン先没入状態において、前記ノック体後端が前記摩擦体５後端より後方に、ペン先突出状態よりも大きく突出されることを要件とする。
【０００８】
前記第１の発明の熱変色性筆記具１は、前記軸筒２の後端のノック体９近傍に前記摩擦体５を設け、ペン先没入状態において、前記ノック体９後端が前記摩擦体５後端より後方に、ペン先突出状態よりも大きく突出されることにより、非使用時（即ちペン先没入状態において）、他の物品（例えば、他の筆記具外面、ペンケース、ペン立て、または衣服のポケット等）に収納して保管しても、ノック体９後端が前記他の物品に接触し、摩擦体５が前記他の物品に接触することを回避でき、摩擦体５表面が汚れることを防止できる。
【０００９】
また、前記第１の発明の熱変色性筆記具１は、使用時（即ちペン先突出状態において）、前記ノック体９が軸筒２内に没入されため、前記摩擦体５を用いて被筆記面上の熱変色性インキの筆跡を容易に摩擦することができる。前記ノック体９が軸筒２内に没入されるとは、軸筒２内にノック体９が完全に没入されるか、あるいは軸筒２内にノック体９の大部分が没入され且つノック体９の一部が外部に突出されることをいう。
【００１０】
本願の第２の発明は、前記第１の発明の熱変色性筆記具１において、前記摩擦体５が軸筒２後端の外周縁部に設けられることを要件とする。
【００１１】
前記第２の発明の熱変色性筆記具１は、前記摩擦体５が軸筒２後端の外周縁部に設けられることにより、摩擦体使用時、筆記使用状態（ペン先突出状態）から軸筒２を前後に反転させた後、軸筒２を被筆記面に対して垂直状態から傾けるだけで、摩擦体５を被筆記面上の筆跡に迅速に押し当てることができる。
【００１２】
本願の第３の発明は、前記第２の発明の熱変色性筆記具１において、前記摩擦体５が軸筒２後端の外周縁部に環状に設けられることを要件とする。
【００１３】
前記第３の熱変色性筆記具１は、前記摩擦体５が軸筒２後端の外周縁部に環状に設けられることにより、摩擦体使用時、摩擦体５の周方向の位置を確認する必要がなく、摩擦体５を被筆記面上の筆跡に迅速に押し当てることができる。
【００１４】
本願の第４の発明は、前記第１、第２、または第３の発明の熱変色性筆記具１において、前記ペン先突出状態において、前記摩擦体５と前記ノック体９とに接する接線ｂと、軸線とのなす角度を４５度以上に設定することを要件とする。
【００１５】
前記第４の発明の熱変色性筆記具１は、ペン先突出状態において、前記摩擦体５と前記ノック体９とに接する接線ｂと、軸線とのなす角度を４５度以上に設定することにより、軸筒２を被筆記面に対して垂直状態から僅かに傾けるだけで、摩擦体５を容易に被筆記面に押し当てることができ、筆記時と同様の持ち方で摩擦体５側の軸筒２を把持できる。仮に、前記摩擦体５と前記ノック体９とに接する接線ｂと、軸線とのなす角度が４５度未満であると、軸筒２を被筆記面に対して垂直状態から相当傾ける必要があり、筆記時と同様の持ち方で摩擦体５側の軸筒２を把持できないおそれがある。
【００１６】
本願の第５の発明は、前記第１乃至第４の何れかの発明の熱変色性筆記具１において、前記摩擦体５より前方の軸筒２の外面に、摩擦体５よりも径方向外方に突出する凸部４３を設けたことを要件とする。
【００１７】
前記第５の発明の熱変色性筆記具１は、前記摩擦体５より前方の軸筒２の外面に、摩擦体５よりも径方向外方に突出する凸部４３を設けたことにより、非使用時（即ちペン先没入状態において）、他の物品（例えば、他の筆記具外面、ペンケース、ペン立て、または衣服のポケット等）に収納して保管しても、凸部４３とノック体９との間に摩擦体５が配置され、ノック体９または凸部４３が前記他の物品に接触し、摩擦体５が前記他の物品に接触することを回避でき、摩擦体５表面が汚れることを防止できる。
【００１８】
尚、前記第５の発明の熱変色性筆記具１において、非使用時（即ちペン先没入状態において）、ノック体９と凸部４３との接する接線ａから摩擦体５が径方向内方に位置すること、即ち、ノック体９と凸部４３との接する接線ａから摩擦体５が径方向外方に突出しない構成が好ましい。それのより、より一層、摩擦体５が前記他の物品に接触することを回避でき、摩擦体５表面が汚れることを防止できる。
【発明の効果】
【００１９】
本発明の熱変色性筆記具は、非使用時に摩擦体が汚れることを防止できる。
【図面の簡単な説明】
【００２０】
【図１】本発明の第１の実施の形態のペン先没入状態（摩擦体保護状態）の縦断面図である。
【図２】本発明の第１の実施の形態のペン先突出状態（摩擦体使用可能状態）の縦断面図である。
【図３】図２の要部拡大縦断面図である。
【図４】本発明の第１の実施の形態の出没機構を示す分解図である。
【図５】本発明の第２の実施の形態のペン先没入状態（摩擦体保護状態）の縦断面図である。
【発明を実施するための形態】
【００２１】
＜第１の実施の形態＞
本発明の第１の実施の形態を図１乃至図４に示す。
本実施の形態の熱変色性筆記具１は、軸筒２と、該軸筒２内に収容される筆記体６と、該筆記体６のペン先６１を軸筒２の前端孔３１より出没自在にさせる出没機構と、軸筒２の後端に設けられる摩擦体５とを備える。
【００２２】
・軸筒
前記軸筒２は、前軸３と、該前軸３の後端に着脱自在に連結される後軸４とからなる。
【００２３】
・前軸
前記前軸３は、先細円筒状の合成樹脂の成形体である。前記前軸３の前端には前端孔３１が前後方向に貫設される。前記前軸３の後端開口部外面には、オネジ部が一体に形成される。
【００２４】
・後軸
前記後軸４は、円筒状の合成樹脂の成形体である。前記後軸４の後端には、後端孔４１が前後方向に貫設される。前記後軸４の後端部内面には段部７３が一体に形成される。前記後軸４の後端孔４１より前方の内面には、カム部７が一体に形成される。前記後軸４の外面には、径方向外方に突出する凸部４３が一体に形成される。前記凸部４３より前方にクリップ４２が一体に延設される。前記後軸４の前端開口部内面には、メネジ部が一体に形成される。前記メネジ部と前軸３のオネジ部とが螺合可能である。
【００２５】
・筆記体
前記筆記体６は、ペン先６１と、該ペン先６１が前端開口部に圧入固着されたインキ収容管６２と、該インキ収容管６２内に充填される熱変色性インキと、該熱変色性インキの後端に充填され且つ該熱変色性インキの消費に伴い前進する追従体（例えば高粘度流体）とからなる。
【００２６】
前記ペン先６１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管６２の後端開口部に、インキ収容管６２と外部とが通気可能な通気孔を備えた尾栓を取り付けてもよい。
【００２７】
・出没機構
前記出没機構は、回転カム機構を用いたノック式出没機構であり、軸筒２内面に形成されたカム部７に係合し且つ筆記体６の後端に当接する回転部材８と、該回転部材８に係合し且つ軸筒２の後端孔４１より後方に突出するノック体９と、軸筒２内に収容され且つ筆記体６を後方に付勢する弾発体１０（例えば圧縮コイルスプリング）とからなる。本実施の形態の出没機構は、ペン先突出操作及びペン先没入操作のいずれもがノック体９を前方に押圧操作するダブルノック式である。
【００２８】
・摩擦体
前記後軸４の後端には、低摩耗性の弾性材料よりなる摩擦体５が固着される。前記摩擦体５は、後軸４後端の外周縁部に環状に設けられ、その中心に内孔５１を有する。前記弾性材料は、摩擦時に摩耗カス（消しカス）が殆ど生じない弾性材料であり、例えば、弾性を有する合成樹脂（ゴム、エラストマー）が好ましく、具体的には、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体５を用いて、被筆記面上の熱変色性インキの筆跡を摩擦することにより、その際に生じる摩擦熱で熱変色性インキの筆跡が熱変色可能である。
【００２９】
前記軸筒２の後端孔４１と前記摩擦体５の内孔５１とが連通し、前記ノック体９が、ペン先没入状態において、摩擦体５の内孔５１より後方に大きく突出される。摩擦体５は、軸筒２後端のノック体９の近傍に形成される。また、前記摩擦体５と前記ノック体９とに接する接線ｂと、軸線とのなす角度αが４５度以上に設定される。また、前記摩擦体５より前方の軸筒２の外面に、摩擦体５よりも径方向外方に突出する凸部４３が形成される。前記凸部４３は、本実施の形態ではクリップ４２の基部である。ペン先没入状態において、ノック体９と凸部４３とに接する接線ａから摩擦体５が径方向内方に位置される。
【００３０】
本実施の形態の熱変色性筆記具１は、前記軸筒２の後端のノック体９近傍に前記摩擦体５を設け、ペン先没入状態において、前記ノック体９後端が前記摩擦体５後端より後方に、ペン先突出状態よりも大きく突出されることにより、非使用時（即ちペン先没入状態において）、他の物品（例えば、他の筆記具外面、ペンケース、ペン立て、または衣服のポケット等）に収納して保管しても、ノック体９後端が前記他の物品に接触し、摩擦体５が前記他の物品に接触することを回避でき、摩擦体５表面が汚れることを防止できる。
【００３１】
本実施の形態の熱変色性筆記具１は、前記摩擦体５が軸筒２後端の外周縁部に設けられることにより、摩擦体使用時、筆記使用状態（ペン先突出状態）から軸筒２を前後に反転させた後、軸筒２を被筆記面に対して垂直状態から傾けるだけで、摩擦体５を被筆記面上の筆跡に迅速に押し当てることができる。
【００３２】
本実施の形態の熱変色性筆記具１は、前記摩擦体５が軸筒２後端の外周縁部に環状に設けられることにより、摩擦体使用時、摩擦体５の周方向の位置を確認する必要がなく、摩擦体５を被筆記面上の筆跡に迅速に押し当てることができる。
【００３３】
本実施の形態の熱変色性筆記具１は、ペン先突出状態において、前記摩擦体５と前記ノック体９とに接する接線ｂと、軸線とのなす角度を４５度以上に設定することにより、軸筒２を被筆記面に対して垂直状態から僅かに傾けるだけで、摩擦体５を容易に被筆記面に押し当てることができ、筆記時と同様の持ち方で摩擦体５側の軸筒２を把持できる。
【００３４】
本実施の形態の熱変色性筆記具１は、前記摩擦体５より前方の軸筒２の外面に、摩擦体５よりも径方向外方に突出する凸部４３を設けたことにより、非使用時（即ちペン先没入状態において）、他の物品（例えば、他の筆記具外面、ペンケース、ペン立て、または衣服のポケット等）に収納して保管しても、凸部４３とノック体９との間に摩擦体５が配置され、ノック体９または凸部４３が前記他の物品に接触し、摩擦体５が前記他の物品に接触することを回避でき、摩擦体５表面が汚れることを防止できる。
【００３５】
本実施の熱変色性筆記具１は、非使用時（即ちペン先没入状態において）、ノック体９と凸部４３との接する接線ａから摩擦体５が径方向内方に位置すること、即ち、ノック体９と凸部４３との接する接線ａから摩擦体５が径方向外方に突出しない。それにより、より一層、摩擦体５が前記他の物品に接触することを回避でき、摩擦体５表面が汚れることを防止できる。
【００３６】
＜第２の実施の形態＞
本発明の第２の実施の形態を図５及び図４（図４は第１の実施の形態と共通）に示す。
本実施の形態は第１の実施の形態の凸部４３の変形例である。
【００３７】
本実施の形態の熱変色性筆記具１は、軸筒２と、該軸筒２内に収容される筆記体６と、該筆記体６のペン先６１を軸筒２の前端孔３１より出没自在にさせる出没機構と、軸筒２の後端に設けられる摩擦体５とを備える。
【００３８】
・軸筒
前記軸筒２は、前軸３と、該前軸３の後端に着脱自在に連結される後軸４とからなる。
【００３９】
・前軸
前記前軸３は、先細円筒状の合成樹脂の成形体である。前記前軸３の前端には前端孔３１が前後方向に貫設される。前記前軸３の後端開口部外面には、オネジ部が一体に形成される。
【００４０】
・後軸
前記後軸４は、円筒状の合成樹脂の成形体である。前記後軸４の後端には、後端孔４１が前後方向に貫設される。前記後軸４の後端部内面には段部７３が一体に形成される。前記後軸４の後端孔４１より前方の内面には、カム部７が一体に形成される。前記後軸４の外面には、径方向外方に突出する凸部４３が環状に一体に形成される。前記凸部４３より前方にクリップ４２が一端に延設される。前記後軸４の前端開口部内面には、メネジ部が一体に形成される。前記メネジ部と前軸３のオネジ部とが螺合可能である。
【００４１】
・筆記体
前記筆記体６は、ペン先６１と、該ペン先６１が前端開口部に圧入固着されたインキ収容管６２と、該インキ収容管６２内に充填される熱変色性インキと、該熱変色性インキの後端に充填され且つ該熱変色性インキの消費に伴い前進する追従体（例えば高粘度流体）とからなる。
【００４２】
前記ペン先６１は、例えば、前端に回転可能にボールを抱持した金属製のボールペンチップのみからなる構成、または前記ボールペンチップの後部外面を保持した合成樹脂製のペン先ホルダーからなる構成のいずれであってもよい。また、前記インキ収容管６２の後端開口部に、インキ収容管６２と外部とが通気可能な通気孔を備えた尾栓を取り付けてもよい。
【００４３】
・出没機構
前記出没機構は、回転カム機構を用いたノック式出没機構であり、軸筒２内面に形成されたカム部７に係合し且つ筆記体６の後端に当接する回転部材８と、該回転部材８に係合し且つ軸筒２の後端孔４１より後方に突出するノック体９と、軸筒２内に収容され且つ筆記体６を後方に付勢する弾発体１０（例えば圧縮コイルスプリング）とからなる。本実施の形態の出没機構は、ペン先突出操作及びペン先没入操作のいずれもがノック体９を前方に押圧操作するダブルノック式である。
【００４４】
・摩擦体
前記後軸４の後端には、低摩耗性の弾性材料よりなる摩擦体５が固着される。前記摩擦体５は、後軸４後端の外周縁部に環状に設けられ、その中心に内孔５１を有する。前記弾性材料は、摩擦時に摩耗カス（消しカス）が殆ど生じない弾性材料であり、例えば、弾性を有する合成樹脂（ゴム、エラストマー）が好ましく、具体的には、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体５を用いて、被筆記面上の熱変色性インキの筆跡を摩擦することにより、その際に生じる摩擦熱で熱変色性インキの筆跡が熱変色可能である。
【００４５】
前記軸筒２の後端孔４１と前記摩擦体５の内孔５１とが連通し、前記ノック体９が、ペン先没入状態において、摩擦体５の内孔５１より後方に大きく突出される。摩擦体５は、軸筒２後端のノック体９の近傍に形成される。また、前記摩擦体５と前記ノック体９とに接する接線ｂと、軸線とのなす角度αが４５度以上に設定される。また、前記摩擦体５より前方の軸筒２の外面に、摩擦体５よりも径方向外方に突出する凸部４３が形成される。前記凸部４３は、本実施の形態ではクリップ４２の基部である。ペン先没入状態において、ノック体９と凸部４３とに接する接線ａから摩擦体５が径方向内方に位置される。
【００４６】
本実施の形態の熱変色性筆記具１は、前記軸筒２の後端のノック体９近傍に前記摩擦体５を設け、ペン先没入状態において、前記ノック体９後端が前記摩擦体５後端より後方に、ペン先突出状態よりも大きく突出されることにより、非使用時（即ちペン先没入状態において）、他の物品（例えば、他の筆記具外面、ペンケース、ペン立て、または衣服のポケット等）に収納して保管しても、ノック体９後端が前記他の物品に接触し、摩擦体５が前記他の物品に接触することを回避でき、摩擦体５表面が汚れることを防止できる。
【００４７】
本実施の形態の熱変色性筆記具１は、前記摩擦体５が軸筒２後端の外周縁部に設けられることにより、摩擦体使用時、筆記使用状態（ペン先突出状態）から軸筒２を前後に反転させた後、軸筒２を被筆記面に対して垂直状態から傾けるだけで、摩擦体５を被筆記面上の筆跡に迅速に押し当てることができる。
【００４８】
本実施の形態の熱変色性筆記具１は、前記摩擦体５が軸筒２後端の外周縁部に環状に設けられることにより、摩擦体使用時、摩擦体５の周方向の位置を確認する必要がなく、摩擦体５を被筆記面上の筆跡に迅速に押し当てることができる。
【００４９】
本実施の形態の熱変色性筆記具１は、ペン先突出状態において、前記摩擦体５と前記ノック体９とに接する接線ｂと、軸線とのなす角度を４５度以上に設定することにより、軸筒２を被筆記面に対して垂直状態から僅かに傾けるだけで、摩擦体５を容易に被筆記面に押し当てることができ、筆記時と同様の持ち方で摩擦体５側の軸筒２を把持できる。
【００５０】
本実施の形態の熱変色性筆記具１は、前記摩擦体５より前方の軸筒２の外面に、摩擦体５よりも径方向外方に突出する凸部４３を設けたことにより、非使用時（即ちペン先没入状態において）、他の物品（例えば、他の筆記具外面、ペンケース、ペン立て、または衣服のポケット等）に収納して保管しても、凸部４３とノック体９との間に摩擦体５が配置され、ノック体９または凸部４３が前記他の物品に接触し、摩擦体５が前記他の物品に接触することを回避でき、摩擦体５表面が汚れることを防止できる。
【００５１】
本実施の熱変色性筆記具１は、非使用時（即ちペン先没入状態において）、ノック体９と凸部４３との接する接線ａから摩擦体５が径方向内方に位置すること、即ち、ノック体９と凸部４３との接する接線ａから摩擦体５が径方向外方に突出しない。それにより、より一層、摩擦体５が前記他の物品に接触することを回避でき、摩擦体５表面が汚れることを防止できる。
【００５２】
＜熱変色性インキ＞
前記第１、第２の実施の形態において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００５３】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００５４】
前記第１、第２の実施の形態では、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。ヒステリシスの程度を示す温度幅（即ちヒステリシス幅）の値が小さいと、変色前後の両状態のうち一方の状態しか存在しえない。ヒステリシスの程度を示す温度幅の値が大きいと、変色前後の各状態の保持が容易となる。
【００５５】
前記第１、第２の実施の形態では、前記熱変色性インキの摩擦体５の摩擦熱による変色温度は、２５℃〜９５℃（好ましくは３６℃〜９５℃）に設定される。即ち、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体５による摩擦熱で容易に変色することができる。
【００５６】
＜出没機構＞
前記第１、第２の実施の形態において、前記出没機構は、回転カム機構を用いたノック式出没機構であり、軸筒２内面に形成されたカム部７に係合し且つ筆記体６の後端に当接する回転部材８と、該回転部材８に係合し且つ軸筒２の後端孔４１より後方に突出するノック体９と、軸筒２内に収容され且つ筆記体６を後方に付勢する弾発体１０（例えば圧縮コイルスプリング）とからなる。前記第１、第２の実施の形態の出没機構は、ペン先突出操作及びペン先没入操作のいずれもがノック体９を前方に押圧操作するダブルノック式である。
【００５７】
前記第１、第２の実施の形態において、図４の（ａ）に示すように、ノック体９の前端には、回転部材８の突条８１の後端と係合するカム歯７１を備える。ノック体９の前端部外面には、カム部７のカム溝７２内を前後方向に摺動可能なガイド突条９１を備え、それにより、カム部７に対するノック体９の回転が阻止される。図４（ｂ）に示すように、回転部材８の外面には、長手方向に延びる４本の突条８１を備える。前記突条８１が、カム部７のカム歯７１及びカム溝７２に係合される。図４（ｃ）に示すように、カム部７は、前方に突出する鋸歯状の複数のカム歯７１と、該カム歯７１間に形成されるカム溝７２とを備える。
【００５８】
・ペン先の出没
前記第１、第２の実施の形態において、ペン先没入状態からノック体９を弾発体１０による後方付勢に抗して前方に押圧操作すると、ノック体９の前端が回転部材８を前方に押圧し、前記回転部材８の突条８１がカム溝７２に沿って前方に移動する。前記回転部材８が前方に移動することに伴って、前記回転部材８が筆記体６の後端を前方に押圧し、ペン先６１が前端孔３１より外部に突出される。このとき、前記ノック体９のカム歯９２と前記回転部材８の突条８１との当接によって回転部材８がカム部７に対して一定角度だけ回転する。それにより、前記回転部材８の突条８１がカム部７のカム歯７１に係合され、ペン先突出状態が維持される。
【００５９】
前記第１、第２の実施の形態において、ペン先突出状態からノック体９を弾発体１０の後方付勢に抗して前方に押圧操作すると、ノック体９の前端が回転部材８を前方に押圧し、前記ノック体９のカム歯９２と前記回転部材８の突条８１との当接によって回転部材８がカム部７に対して一定角度だけ回転する。それによって、前記突条８１とカム部７のカム歯７１との係合状態が解除され、弾発体１０による後方付勢により、前記突条８１がカム部７のカム溝７２に沿って後方に移動する。前記回転部材８が後方に移動することに伴って、筆記体６が後方に移動し、ペン先没入状態となる。前記突条８１はカム部７の後方の段部７３に係止し、ペン先没入状態が維持される。
【符号の説明】
【００６０】
１  熱変色性筆記具
２  軸筒
３  前軸
３１  前端孔
４  後軸
４１  後端孔
４２  クリップ
４３  凸部
５  摩擦体
５１  内孔
６  筆記体
６１  ペン先
６２  インキ収容管
７  カム部
７１ カム歯
７２  カム溝
７３  段部
８  回転部材
８１  突条
９  ノック体
９１  ガイド突条
９２  カム歯
１０  弾発体
ａ  接線
ｂ  接線
【図１】
2014193571.tif 000003
【図２】
2014193571.tif 000004
【図３】
2014193571.tif 000005
【図４】
2014193571.tif 000006
【図５】
2014193571.tif 000007